(57)【要約】  人に対する清浄化物質の影響に配慮しながら空気清浄動作を実行し、ユーザの快適性と空気清浄動作の効率化とを両立させる。空気清浄機１は、ケーシング２、吸込口４、吹出口５Ａ，５Ｂ、送風機６Ａ，６Ｂ、汚染除去部７、風路８Ａ，８Ｂ、可動ルーバー９Ａ，９Ｂ、水平回転機構１３、オゾン発生機構１５、人検知手段２０、制御部３０等を備える。制御部３０は、人検知手段２０により室内に人がいるか否かを検知する。そして、人の検知結果に基いて、オゾンの発生量と吹出し空気の風向、風量、風速のうち少なくとも１つのパラメータを制御する。これにより、室内に人がいる場合には、例えば人避け運転、人エリア運転等を実行することができる。また、人がいない場合には、室内全体の空気を均等に清浄化する室内空清運転を実行することができる。
2016157383.tif 000002
【特許請求の範囲】
【請求項１】
空気の吸込口及び吹出口を有するケーシングと、
前記吸込口から前記ケーシング内に空気を吸込んで当該空気を前記吹出口から吹出すための送風機と、
前記ケーシングの内部に吸込まれた空気から汚染物質を除去する汚染除去部と、
前記汚染除去部により汚染物質が除去された空気を前記吹出口に搬送する風路と、
前記吹出口から外部に吹出す空気の風向を調整可能な風向調整手段と、
前記ケーシングの内部に清浄化物質を発生させる清浄化物質発生手段と、
人に関する物理量を検知する人検知手段と、
前記風向調整手段及び前記清浄化物質発生手段を作動させる機能を有し、前記人検知手段の出力を入力して前記清浄化物質の発生量と前記吹出口から吹出す空気の風向、風量、風速のうち少なくとも１つのパラメータを制御する制御手段と、
を備えた空気清浄機。
【請求項２】
前記制御手段は、前記清浄化物質の発生量と相関を有する指標を取得し、当該指標と前記人の検知結果と基いて前記パラメータを制御する請求項１に記載の空気清浄機。
【請求項３】
空気中の汚染物質を検出する汚染物質検出手段を備え、
前記制御手段は、前記汚染物質検出手段の検出結果に基いて前記清浄化物質の発生量と前記送風機の出力のうち少なくとも一方を制御する請求項１または２に記載の空気清浄機。
【請求項４】
前記汚染物質検出手段は、前記ケーシングから離れた場所に設置可能であって汚染物質の検出結果を遠隔通信手段により前記制御手段に送信する可動型の汚染物質検出手段である請求項３に記載の空気清浄機。
【請求項５】
前記制御手段は、前記人検知手段により人が検知された場合に、前記清浄化物質の発生量を人許容基準値以下に減少させる請求項１から４のうち何れか１項に記載の空気清浄機。
【請求項６】
前記風向調整手段により前記吹出口を閉塞した状態で前記清浄化物質発生手段から前記清浄化物質を発生させて前記ケーシング内の空間を清浄化する第１の運転モードと、
前記人検知手段により人が検知され、かつ、前記清浄化物質の発生量と相関を有する指標が上限基準値よりも大きい状態で空気清浄動作を行う場合に、前記吹出口から吹出す空気の風向を前記風向調整手段により人がいない方向に設定する第２の運転モードと、
前記人検知手段により人が検知され、かつ、前記指標が前記上限基準値以下の状態で空気清浄動作を行う場合に、前記吹出口から吹出す空気の風向を前記風向調整手段により人がいる方向に設定する第３の運転モードと、
前記人検知手段により人が検知されない状態で空気清浄動作を行う場合に、前記吹出口から吹出す空気を前記風向調整手段により室内全体に分散させる第４の運転モードとからなる４種類の運転モードのうち、少なくとも１つの運転モードを備えた請求項１から５のうち何れか１項に記載の空気清浄機。
【請求項７】
前記第１から第４の運転モードを備え、
前記制御手段は、前記第１の運転モードを実行した後に、前記人の検知結果と前記指標とに基いて前記第２から第４の運転モードの何れかを実行する請求項６に記載の空気清浄機。
【請求項８】
前記第２から第４の運転モードを備え、
前記制御手段は、前記第２から第４の運転モードの何れかを実行しているときに、前記人の検知結果と前記指標のうち少なくとも一方が変化した場合に、変化後の状態に応じて運転モードを移行する請求項６または７に記載の空気清浄機。
【請求項９】
前記清浄化物質の発生量と相関を有する指標は、前記清浄化物質発生手段から発生する前記清浄化物質の濃度であるか、または、前記清浄化物質発生手段の作動時間である請求項２に記載の空気清浄機。
【請求項１０】
前記清浄化物質発生手段は、前記清浄化物質として少なくともオゾンを発生させる機構を有する請求項１から９のうち何れか１項に記載の空気清浄機。
【請求項１１】
前記吹出口及び前記風向調整手段を複数個備え、前記各吹出口から吹出す空気の風向を前記各風向調整手段により個別に調整する請求項１から１０のうち何れか１項に記載の空気清浄機。
【請求項１２】
前記風向調整手段は、
前記吹出口から吹出す空気の風向を上下方向に調整可能な可動ルーバーと、
前記ケーシングを水平方向に回転させることが可能な水平回転機構と、
を備えた請求項１から１１のうち何れか１項に記載の空気清浄機。
【発明の詳細な説明】
【技術分野】
【０００１】
本発明は、吸込んだ空気を清浄化して吹出す機能を備えた空気清浄機に関する。
【背景技術】
【０００２】
従来技術として、例えば特許文献１から３に記載されているような機器が知られている。特許文献１に記載されたエアコンは、空気流通路に設けられた脱臭及び殺菌装置を備えている。脱臭及び殺菌装置は、オゾン発生装置及び触媒により構成されている。また、特許文献２に空気清浄機は、イオンを発生する除菌装置と、吹出口を閉塞可能なルーバーとを備えている。そして、この空気清浄機は、ルーバーにより吹出口を閉塞した状態で、2個の送風機を交互に運転することにより、空気清浄機の内部にイオンを充満させる構成としている。また、特許文献３に記載された空気清浄機は、吸気口に設けられたシャッターと、逆回転可能なファンと、オゾナイサとを備えている。そして、空気清浄機の内部を除菌する場合には、シャッターにより吸気口を閉塞した状態で、ファンを逆な移転させる構成としている。
【先行技術文献】
【特許文献】
【０００３】
【特許文献１】日本特開平１−１１４６３３号公報
【特許文献２】日本特許第４５３３４１１号公報
【特許文献３】日本特許第３５８２８８０号公報
【発明の概要】
【発明が解決しようとする課題】
【０００４】
上述した特許文献１から３の従来技術では、オゾン、イオン等の清浄化物質を用いて脱臭、除菌等を行う構成としている。しかしながら、例えば清浄化物質により機器の内部を清浄化した後に室内への送風動作を行う場合には、送風する空気中に残留した清浄化物質が室内の人に与える影響に配慮する必要がある。また、清浄化物質を含む空気を室内に送風する場合にも、室内の人に配慮する必要がある。一方、例えば空気清浄機においては、清浄化物質の影響に配慮し過ぎると、室内に対する送風動作、送風エリア等が過剰に制限されることになり、空気清浄動作の効率が低下する。このような観点において、従来技術では、室内の人について考慮していないため、人に配慮しながら空気清浄動作をバランス良く行うのが難しいという問題がある。【０００５】
本発明は、上述の課題を解決するためになされたもので、人に対する清浄化物質の影響に配慮しながら空気清浄動作を適切に実行し、ユーザの快適性と空気清浄動作の効率化とを両立させることが可能な空気清浄機を提供することを目的としている。
【課題を解決するための手段】
【０００６】
この発明に係る空気清浄機は、空気の吸込口及び吹出口を有するケーシングと、吸込口からケーシング内に空気を吸込んで当該空気を吹出口から吹出すための送風機と、ケーシングの内部に吸込まれた空気から汚染物質を除去する汚染除去部と、汚染除去部により汚染物質が除去された空気を吹出口に搬送する風路と、吹出口から外部に吹出す空気の風向を調整可能な風向調整手段と、ケーシングの内部に清浄化物質を発生させる清浄化物質発生手段と、人に関する物理量を検知する人検知手段と、風向調整手段及び清浄化物質発生手段を作動させる機能を有し、人検知手段の出力を入力して清浄化物質の発生量と吹出口から吹出す空気の風向、風量、風速のうち少なくとも１つのパラメータを制御する制御手段と、を備えている。
【発明の効果】
【０００７】
この発明によれば、人の検知結果に基いて清浄化物質の発生量と吹出し空気の風向のうち少なくとも一方のパラメータを制御することができる。これにより、人に対する清浄化物質の影響に配慮しながら、空気清浄動作を行うことができる。従って、ユーザの快適性と空気清浄動作の効率化とを両立させることができる。
【図面の簡単な説明】
【０００８】
【図１】本発明の実施の形態１による空気清浄機を前方からみた正面図である。
【図２】図１中の矢示Ａ−Ａ位置における空気清浄機の断面図である。
【図３】空気清浄機の可動ルーバーを上向きに揺動させた状態を示す図２と同様の断面図である。
【図４】空気清浄機の可動ルーバー及び整流機構を示す斜視図である。
【図５】本発明の実施の形態１による空気清浄機の制御系統を示す構成図である。
【図６】本発明の実施の形態１において、空気清浄機の制御の一例を示すフローチャートである。
【図７】図６中の人避け運転を示すフローチャートである。
【図８】図６中の人エリア運転を示すフローチャートである。
【図９】図６中の室内空清運転を示すフローチャートである。
【図１０】本発明の実施の形態２による空気清浄機の制御系統を示す構成図である。
【発明を実施するための形態】
【０００９】
実施の形態１．
まず、図１から図９を参照して、本発明の実施の形態１について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。また、本発明は、以下の各実施の形態に示す構成及び制御のうち、組合わせ可能なもののあらゆる組合わせを含むものである。
【００１０】
図１は、本発明の実施の形態１による空気清浄機を前方からみた正面図である。また、図２は、図１中の矢示Ａ−Ａ位置における空気清浄機の断面図である。これらの図に示すように、本実施の形態による空気清浄機１は、ケーシング２、台座３、吸込口４、吹出口５Ａ，５Ｂ、送風機６Ａ，６Ｂ、汚染除去部７、風路８Ａ，８Ｂ、可動ルーバー９Ａ，９Ｂ、ルーバー駆動部１０、整流機構１１、整流駆動部１２、水平回転機構１３、オゾン発生機構１５等を備えている。このうち、吸込口４及び吹出口５Ａ，５Ｂは、ケーシング２に開口している。また、送風機６Ａ，６Ｂ、汚染除去部７、風路８Ａ，８Ｂ及びオゾン発生機構１５は、ケーシング２の内部に収容されている。
【００１１】
ケーシング２は、例えば略四角形の角筒状に形成され、床面と垂直な方向に延びる縦長のタワー型ケースにより構成されている。ケーシング２の前面部には、吸込口４を覆う平板状のパネル２Ａが着脱可能に取付けられている。また、ケーシング２は、部屋の床面に設置される台座３により回転軸３Ａを介して支持されている。ケーシング２は、台座３上で回転軸３Ａを中心として水平方向に回転する。なお、本明細書では、ケーシング２の側面部のうち、主として室内の空間に面して配置される部分を前面部と表記し、前面部と対向する部分を後面部と表記する。また、水平方向において、前面部と後面部とが対向する方向を前後方向と表記し、前後方向と直交する方向を左右方向と表記する。空気清浄機１は、例えば部屋の何れかの壁に近い位置で床面上に設置され、ケーシング２の後面部を当該壁面に向けると共にケーシング２の前面部を室内の空間に向けた状態で使用される。
【００１２】
吸込口４は、図１及び図２に示すように、室内の空気をケーシング２の内部に吸込むための開口部であり、垂直方向に延びた縦長の開口形状を有している。そして、吸込口４は、例えばケーシング２の正面部に配置され、パネル２Ａとの間に形成された隙間を介して外部に連通している。吹出口５Ａ，５Ｂは、図２に示すように、吸込口４からケーシング２内に吸込まれた空気を外部に吹出す２つの開口部である。吹出口５Ａ，５Ｂは、ケーシング２の上面部に前後方向に並べて配置され、それぞれ左右方向に伸張している。なお、本明細書では、吹出口５Ａ，５Ｂから吹出す空気を「吹出し空気」と表記する場合がある。また、本発明では、吸込口４を、ケーシング２の背面部、側面部、下面部等に配置してもよい。また、吹出口５Ａ，５Ｂは、ケーシング２の正面部、側面部等に配置してもよい。さらに、吹出口の個数は、２個に限定されるものではなく、本発明では、１個のみまたは３個以上の吹出口を備える構成としてもよい。
【００１３】
ケーシング２の内部空間のうち、吸込口４から吹出口５Ａ，５Ｂに至る空間には、図２に示すように、汚染除去部７、送風機６Ａ，６Ｂ及び風路８Ａ，８Ｂが上流から下流に向けて順に配置されている。これにより、ケーシング２の内部には、後述の図３に示すように、吸込口４から汚染除去部７、送風機６Ａ及び風路８Ａを経由して吹出口５Ａに至る第１の空気流路と、吸込口４から汚染除去部７、送風機６Ｂ及び風路８Ｂを経由して吹出口５Ｂに至る第２の空気流路とが形成されている。
【００１４】
送風機６Ａ，６Ｂは、吸込口４からケーシング２の内部に空気を吸込んで当該空気を吹出口５Ａ，５Ｂから外部に吹出すものである。送風機６Ａ，６Ｂは、例えばシロッコファン等の遠心ファンにより構成されたファンと、このファンを回転させる電動モータとを備えている。送風機６Ａ，６Ｂの位置は、互いに上下方向及び前後方向にずらして配置されている。そして、ケーシング２の内部で上部前側に位置する送風機６Ａは、風路８Ａを介して前側の吹出口５Ａに接続されている。また、下部後側に位置する送風機６Ｂは、風路８Ｂを介して後側の吹出口５Ｂに接続されている。送風機６Ａのファンの回転数は、制御部３０により制御され、ファンの回転数に応じて吹出し空気の風量が変化する。
【００１５】
汚染除去部７は、ケーシング２の内部に吸込まれた空気を清浄化するものである。汚染除去部７は、垂直方向に延びた縦長の形状を有し、吸込口４と２個の送風機６Ａ，６Ｂとの間に介在するように配置されている。ここで、「清浄化」とは、例えば空気中に浮遊する塵埃、煙、花粉、ウイルス、カビ、菌、アレルゲン、臭気分子等からなる汚染物質を除去することを意味している。より具体的に述べると、「清浄化」とは、汚染物質を捕集、不活性化、殺菌吸着または分解する動作を意味している。汚染除去部７は、例えば集塵フィルタ、脱臭フィルタ、抗カビ・殺菌フィルタ、電圧印加デバイス等により構成されるか、または、これらの機器を組合わせることにより構成されている。集塵フィルタは、塵埃等を捕集するもので、脱臭フィルタは、臭気成分を吸着するものである。また、抗カビ・殺菌フィルタはカビの胞子を不活化したり、付着菌を死滅したりするものである。電圧印加デバイスは、空気の流路中に配置された一対の電極間に高電圧を印加することにより、汚染物質を除去、不活化、死滅、破壊または分解するものである。
【００１６】
風路８Ａ，８Ｂは、汚染除去部７により清浄化された空気を吹出口５Ａ，５Ｂに向けて搬送するものである。風路８Ａ，８Ｂは、ケーシング２内に配置された隔壁２Ｂにより互いに分離され、前後方向に並んだ状態で、それぞれ上下方向に伸張している。このように、本実施の形態では、２個の送風機６Ａ，６Ｂを上下方向及び前後方向にずらして配置している。そして、送風機６Ａ，６Ｂには、前後方向に並んだ風路８Ａ，８Ｂを接続する構成としている。この構成によれば、単一の送風機により同じ風量を発生させる空気清浄機と比較して、空気清浄機１を縦長のタワー型に形成し易くなり、その設置面積を小型化することができる。
【００１７】
次に、図３及び図４を参照して、空気清浄機１の可動ルーバー９Ａ，９Ｂ等について説明する。図３は、空気清浄機の可動ルーバーを上向きに揺動させた状態を示す図２と同様の断面図である。図４は、空気清浄機の可動ルーバー及び整流機構を示す斜視図である。なお、図４は、概略的な構造を説明するための模式図であり、必ずしも他の図面と整合していない部分がある。可動ルーバー９Ａ，９Ｂは、図３及び図４に示すように、吹出し空気の風向（吹出し方向）を上下方向に調整するもので、それぞれ吹出口５Ａ，５Ｂに配置されている。可動ルーバー９Ａ，９Ｂは、例えばケーシング２の左右方向に伸張した細長い板材等より形成されている。
【００１８】
前側の可動ルーバー９Ａの後端部は、図３に示すように、ルーバー駆動部１０を介して吹出口５Ａの後端部に取付けられている。また、後側の可動ルーバー９Ａの後端部は、他のルーバー駆動部１０を介して吹出口５Ｂの後端部に取付けられている。２個のルーバー駆動部１０は、可動ルーバー９Ａ，９Ｂをそれぞれ個別に上下方向に揺動させる機構である。吹出し空気の仰角は、可動ルーバー９Ａ，９Ｂの揺動角に応じて上下方向に調整される。この仰角は、吹出口５Ａと吹出口５Ｂとで異なる角度に設定することも可能である。なお、「仰角」とは、水平方向を基準とした上向きの角度を意味している。また、可動ルーバー９Ａ，９Ｂは、吹出口５Ａ，５Ｂから吹出す空気の流路面積を揺動角に応じて調整することができる。特に、可動ルーバー９Ａ，９Ｂを最も下側まで揺動させた状態では、図２に示すように、吹出口５Ａ，５Ｂが可動ルーバー９Ａ，９Ｂにより閉塞される。
【００１９】
整流機構１１は、可動ルーバー９Ａ，９Ｂにより調整された風向の仰角を保持した状態で、当該風向を左右方向に調整するものである。整流機構１１は、図４に示すように、可動ルーバー９Ａ，９Ｂの受風面に立てられた複数のフィンにより構成されている。これらのフィンは、左右方向に間隔をもって並んでいる。整流機構１１は、整流駆動部１２（図５参照）により左右方向に揺動され、当該揺動角に応じて吹出し空気の風向を左右方向に変化させる。なお、水平方向に対する吹出し空気の角度（以下、回転角と表記）は、主として水平回転機構１３により調整される。これに対し、整流機構１１によれば、吹出し空気の風向を左右方向に微調整したり、目標の風向に対して吹出し空気の指向性を高めることができる。
【００２０】
水平回転機構１３は、図１から図３に示すように、ケーシング２と台座３との間に設けられている。水平回転機構１３は、ケーシング２を回転軸３Ａを中心として水平方向に回転させるものである。これにより、吹出し空気の風向は、水平回転機構１３により水平方向（即ち、左右方向）に調整される。なお、可動ルーバー９Ａ，９Ｂ、整流機構１１及び水平回転機構１３は、本実施の形態における風向調整手段１４を構成している。この構成によれば、吹出し空気の風向を上下方向及び左右方向に分けて設定することができ、３次元空間内の所望の位置に空気を精度よく送風することができる。さらに、水平方向への吹出し方向を可変とすることで、室内の隅々まで送風することができる。これにより、室内の汚染物質をケーシング２の内部に吸引することができ、汚染除去部７でより多くの汚染物質を処理することができる。また、汚染物質のうち、カビ、菌、一部のアレルゲンは増殖することが知られており、これらが堆積することによりケーシング２の内部の衛生性が低下する。このため、ケーシング２の内部の衛生性を向上させるための手段が必要となる。これに対し、本実施の形態では、水平回転機構１３により室内の隅々まで送風可能となるので、室内の衛生性を向上させることができる。そして、清浄化物質発生手段１５によりケーシング２の内部の衛生性を向上できるので、人が生活する空間の衛生性を全体的に向上させることができる。
【００２１】
オゾン発生機構１５は、例えばオゾン、各種のラジカル、イオン等のように空気を清浄化する清浄化物質のうち、少なくともオゾンをケーシング２の内部に発生させるものである。オゾン発生機構１５は、図２に示すように、ケーシング２の内部空間のうち、例えば送風機６Ａ，６Ｂの吸込側に連通する空間に設けられている。また、オゾン発生機構１５は、例えば互いに対向する一対の電極（図示せず）を備えている。そして、これらの電極間に高電圧を印加することにより、オゾン等の活性酸素を発生させる。オゾン発生機構１５においては、後述の制御部３０から前記電極間に印加する電圧を変化させることにより、オゾンの発生量を制御することができる。なお、本実施の形態では、オゾン発生機構１５が清浄化物質発生手段の具体例であり、オゾンは、空気を清浄化する清浄化物質の一例である。
【００２２】
次に、図５を参照して、空気清浄機１の制御系統について説明する。図５は、本発明の実施の形態１による空気清浄機の制御系統を示す構成図である。この図に示すように、空気清浄機１は、人検知手段２０及び汚染物質検出手段２１を含むセンサ系統と、ユーザにより操作される操作部２２と、空気清浄機１の運転状態を制御する制御部３０とを備えている。人検知手段２０は、空気清浄機１が配置された室内に人が存在するか否かを検知するものである。より詳しく述べると、人検知手段２０は、人に関する物理量（即ち、人の有無が反映される物理量）を検知する。人検知手段２０は、図１及び図４に示すように、例えば赤外線センサ、画像認識センサ、焦電センサ等により構成され、ケーシング２の前面上部に配置されている。なお、本発明では、人の検知が可能な他のセンサにより人検知手段２０を構成してもよい。また、人検知手段２０は、検出部を左右方向に揺動可能な可動型のセンサにより構成してもよい。この場合には、ケーシング２を回転させなくても、検出部を揺動させることにより室内をサーチすることができる。
【００２３】
汚染物質検出手段２１は、吸込口４から吸込まれた空気中の汚染物質の量を検出するもので、例えば埃センサ、ガスセンサ、臭気センサ等により構成されている。汚染物質検出手段２１は、例えば空気の流れ方向において汚染除去部７の上流側となる位置で、ケーシング２の内部に配置されている。ここで、埃センサは、半導体素子、光学素子等により構成され、空気中の塵埃、煙、花粉等の濃度を検出する。また、ガスセンサは、汚染物質に相当する特定のガス成分の濃度を検出する。臭気センサは、半導体素子、圧電素子等により構成され、臭気の原因となる何種類かのガス成分（臭気ガス）の濃度を検出する。
【００２４】
制御部３０は、マイクロコンピュータ等により構成され、規定の制御プログラムが記憶された記憶回路と、前記制御プログラムを実行するための演算処理装置（ＣＰＵ）と、演算処理装置に対して信号の入出力を行う入出力ポートとを備えている。制御部３０の入力側には、図５に示すように、人検知手段２０及び汚染物質検出手段２１を含むセンサ系統が接続されている。制御部３０の出力側には、送風機６Ａ，６Ｂ、ルーバー駆動部１０、整流駆動部１２、水平回転機構１３、オゾン発生機構１５等のアクチュエータが接続されている。また、制御部３０は、操作部２２と相互通信可能に接続されている。そして、制御部３０は、ユーザにより操作された操作部２２の設定内容、センサ系統の出力等に基いて各アクチュエータを作動させることにより、空気清浄機１を制御する。
【００２５】
（基本的な空気清浄動作）
次に、空気清浄機１の基本的な動作について説明する。空気清浄機１の作動時には、制御部３０により送風機６Ａ，６Ｂが駆動される。これにより、図３中の矢印に示すように、室内の空気が吸込口４からケーシング２の内部に吸込まれ、この空気は、汚染除去部７を通過することにより清浄化される。そして、清浄化された空気の一部は、上側の送風機６Ａ及び風路７Ａを経由して吹出口５Ａに到達し、吹出口５Ａから外部に吹出される。また、清浄化された残りの空気は、下側の送風機６Ｂ及び風路７Ｂを経由して吹出口５Ｂに到達し、吹出口５Ｂから外部に吹出される。このようにして、空気清浄機１により清浄化された空気は、吹出口５Ａ，５Ｂから室内に向けて吹出される。吹出された空気は、室内を循環した後に、空気中の汚染物質と共に吸込口４に吸込まれ、この循環動作が繰返されることにより、室内の空気が清浄化される。
【００２６】
このとき、制御部３０は、ユーザによる動作の設定内容、センサ系統の検出結果等に基いて、ルーバー駆動部１０、整流駆動部１２及び水平回転機構１３を駆動し、吹出し空気の状態を制御する。即ち、吹出し空気の風向の仰角は、可動ルーバー９Ａ，９Ｂの揺動角に応じて調整される。風向の回転角は、整流機構１１及び水平回転機構１３により調整される。また、可動ルーバー９Ａ，９Ｂの揺動角を変更すると、吹出し空気の流路面積が変化するので、これによって吹出し空気の風速が調整される。さらに、吹出し空気の風量は、送風機６Ａ，６Ｂの回転数に応じて調整される。制御部３０は、上記循環動作を継続しながら、必要に応じて風向の仰角、回転角、風量及び風速を変化させることにより、室内全体の空気を清浄化する。
【００２７】
次に、空気清浄機１の運転モードについて説明する。制御部３０は、内部クリーン運転、人避け運転、人エリア運転及び室内空清運転を実行する機能を備えている。これら４種類の運転は、第１から第４の運転モードに相当するものである。
【００２８】
（内部クリーン運転）
内部クリーン運転は、オゾンを用いてケーシング内の空間を清浄化する運転モード（第１の運転モード）である。内部クリーン運転では、まず、図２に示すように、可動ルーバー９Ａ，９Ｂにより吹出口５Ａ，５Ｂを閉塞する。そして、送風機６Ａ，６Ｂを停止した状態で、オゾン発生機構１５を作動させる。これにより、オゾン発生機構１５から発生するオゾンをケーシング２内に充満させ、ケーシング２の内部を清浄化することができる。従って、空気清浄機１の内部の消臭、除菌等を行うことができる。
【００２９】
内部クリーン運転の実行後には、ケーシング２内に比較的高い濃度のオゾンが残留している場合がある。この状態で、通常時と同様に空気清浄動作を行うと、残留オゾンを含む空気が室内の人に向けて送風され、不快感等の影響を与える可能性がある。このため、制御部３０は、内部クリーン運転を実行してから室内の空気清浄動作を行う場合に、人検知手段２０による人の検知結果と、オゾン量指標とに基いて、ケーシング２内のオゾンの発生量と吹出し空気の風向のうち少なくとも一方のパラメータを制御する。
【００３０】
ここで、「オゾン量指標」とは、オゾン発生機構１５により発生させたオゾンの発生量と相関を有する各種の指標を意味している。オゾン量指標の具体例としては、例えばオゾン濃度センサ等により検出されるオゾンの濃度、オゾン発生機構１５の電極間に印加する電圧、オゾン発生機構１５の作動時間、オゾン発生機構１５が停止してからの経過時間等が挙げられる。オゾン濃度センサは、必要に応じてケーシング２の内部に配置されるもので、オゾンの濃度を直接検出することができる。
【００３１】
ケーシング２内のオゾン濃度は、オゾン発生機構１５の電極間に印加する電圧が高いほど増加する。また、オゾン濃度は、オゾン発生機構１５の作動時間が長くなるほど増加し、オゾン発生機構１５が停止してからの経過時間が長くなるほど減少する。従って、これらの電圧及び時間をオゾン量指標として利用することができる。換言すれば、制御部３０は、上記の電圧、作動時間及び経過時間のうち少なくとも１つを変化させることにより、ケーシング２内のオゾン濃度、即ち、オゾンの発生量を制御することができる。
【００３２】
また、空気清浄機１は、内部クリーン運転と無関係なタイミングにおいて、オゾンを含む空気を室内に送風する運転（以下、特別空清運転と表記）を実行してもよい。特別空清運転では、オゾン発生機構１５を作動させながら、前述の空気清浄動作を実行する。この場合にも、制御部３０は、人検知手段２０による人の検知結果と、オゾン量指標とに基いて、ケーシング２内のオゾンの発生量と吹出し空気の風向のうち少なくとも一方のパラメータを制御する。以下に述べる運転モード切換制御は、人の検知結果とオゾン量指標とに基いて、人避け運転、人エリア運転及び室内空清運転の何れかを選択し、風向の制御を切換えるものである。運転モード切換制御は、内部クリーン運転の実行後、及び、特別空清運転の実行時の何れにも適用される。
【００３３】
（人避け運転）
人避け運転は、室内にいる人が検知され、かつ、オゾン量指標が上限基準値よりも大きい状態で空気清浄動作を行う場合に実行される運転モード（第２の運転モード）である。人避け運転では、人が検知された方向を基準として、風向調整手段１４を作動させることにより、吹出し空気の風向を人がいない方向に設定する。具体的に述べると、人避け運転では、例えば水平回転機構１３を制御することにより、水平方向のうち人がいる方向を避けて送風するようにしてもよい。また、人がいる方向では、可動ルーバー９Ａ，９Ｂを制御して風向を上向きに変更することにより、人を避けて送風するようにしてもよい。
【００３４】
より具体的な例を挙げると、人避け運転では、吹出し空気の風向を室内全体にわたって水平方向にスイングしつつ、人がいる方向では風向を上向きに変更して人を避けるのが好ましい。これにより、人に向けた送風を回避しつつ、室内全体の空気を効率よく清浄化することができる。なお、本発明の人避け運転には、吹出し空気の風向を人がいない特定の方向に固定する運転も含まれている。
【００３５】
また、「上限基準値」とは、例えば空気と共に人に向けて吹出すことが許容されるオゾン濃度の最大値に対応して設定されるもので、制御部３０に予め記憶されている。具体的に述べると、オゾンの検出濃度をオゾン量指標として用いる場合には、オゾン濃度の最大許容値を上限基準値として設定すればよい。また、オゾン発生機構１５の作動時間をオゾン量指標として用いる場合には、ケーシング２内のオゾン濃度が前記最大許容値に到達する作動時間を上限基準値として設定すればよい。
【００３６】
人避け制御によれば、内部クリーン運転により高い濃度のオゾンがケーシング２内に残留した状態でも、人がいない方向に空気を吹出すことで、空気清浄動作を速やかに開始することができる。これにより、例えば内部クリーン運転の直後に空気を清浄化する操作が行われた場合でも、オゾン濃度が低下するまで待つ必要がない。従って、ユーザの利便性を向上させることができる。また、人避け制御によれば、内部クリーン運転の実行後、及び、特別空清運転の実行時の何れにおいても、高い濃度のオゾンを含む空気が人に向けて送風され、不快感等の影響を与えるのを防止することができる。
【００３７】
（人エリア運転）
人エリア運転は、室内にいる人が検知され、かつ、オゾン量指標が上限基準値以下の状態で空気清浄動作を行う場合に実行される運転モード（第３の運転モード）である。人エリア運転では、人が検知された方向を基準として、風向調整手段１４を作動させることにより、吹出し空気の風向を人がいる方向に設定する。これにより、空気清浄機１は、室内のうち人がいるエリアの空気を優先的に清浄化する。なお、人エリア運転では、人がいるエリアの清浄化が済んだと判断した時点で、吹出し空気の風向を他のエリア（方向）に変更し、室内全体の各エリアを順次清浄化するのが好ましい。但し、本発明の人エリア運転では、吹出し空気の風向を人がいる特定の方向に固定してもよい。
【００３８】
人エリア運転によれば、吹出し空気の性状が人に向けても良い状態である場合に、人の周囲の空気を優先的に清浄化することができる。これにより、例えば空気清浄機１が起動されてから短時間で、空気の清浄化による快適感をユーザに与えることができる。従って、ユーザの利便性が高い空気清浄動作を行うことができる。また、例えばマイナスイオン等のように、適量であればユーザに向けて放出した方が好ましい清浄化物質を用いる場合には、人エリア運転により適量の清浄化物質をユーザの周囲に効率よく到達させることができる。この結果、清浄化物質による快適感をユーザに効果的に与えることができる。
【００３９】
（室内空清運転）
室内空清運転は、人が検知されない状態で空気清浄動作を行う場合に実行される運転モード（第４の運転モード）である。室内空清運転では、風向調整手段１４を作動させることにより、吹出し空気を室内全体に分散しながら送風する。これにより、空気清浄機１は、室内全体の空気を均等に効率よく清浄化することができる。従って、ユーザが入室してきたときに、快適な環境を実現することができる。
【００４０】
（人対応発生量制御）
上述した運転モード切換制御では、人の検知結果とオゾン量指標とに基いて運転モードを選択する（即ち、吹出し空気の風向を切換える）場合を例示した。この他に、本実施の形態では、人の検知結果とオゾン量指標とに基いてオゾンの発生量を制御する人対応発生量制御を実行してもよい。人対応発生量制御では、例えば室内にいる人が検知された場合に、オゾンの発生量を人許容基準値以下に減少させる。また、室内で人が検知されない場合には、オゾンの発生量を人許容基準値よりも大きな通常基準値に設定する。
【００４１】
ここで、「人許容基準値」は、例えば人が存在する室内に吹出すことが許容されるオゾン濃度の最大値に対応して設定されている。また。「通常基準値」は、例えば人の存在に関係なく、空気の清浄化等に対してオゾンの効果が最大限に得られるオゾン濃度に対応して設定されている。これらの人許容基準値及び通常基準値は、制御部３０に予め記憶されている。また、オゾンの発生量の制御は、前述のように、オゾン濃度を直接制御するか、または、オゾン発生機構１５の作動時間を制御することにより実現される。
【００４２】
人対応発生量制御によれば、室内に人が存在する場合には、吹出し空気中のオゾン濃度を減少させ、人に対するオゾンの影響を許容可能なレベルに低下させることができる。これにより、オゾンによる空気清浄効果を維持しつつ、ユーザの利便性を向上させることができる。なお、本発明では、前述した運転モード切換制御と人対応発生量制御とを併用してもよい。また、運転モード切換制御を採用せず、人対応発生量制御のみを単独で採用してもよい。また、人許容基準値は、前述した上限基準値と比較して、同じ値に設定してもよいし、異なる値に設定してもよい。
【００４３】
（汚染対応制御）
本実施の形態では、汚染物質検出手段２１の検出結果に基いてオゾンの発生量を制御する汚染対応制御を実行してもよい。具体的に述べると、汚染対応制御では、汚染物質検出手段２１により検出された汚染物質の濃度が汚染判定値以上である場合に、汚染物質の濃度が汚染判定値未満である場合と比較してオゾンの発生量をさせる。ここで、「汚染判定値」とは、例えばオゾンによる清浄化が好ましいと考えられる比較的高い濃度に対応して設定されるもので、制御部３０に予め記憶されている。また、汚染対応制御では、オゾンの発生量を増加させる処理に代えて、送風機６Ａ，６Ｂの出力（吹出し空気の風量）を増加させるようにしてもよい。更に言えば、オゾンの発生量と吹出し空気の風量を両方とも増加させるようにしてもよい。
【００４４】
汚染対応制御によれば、空気中の汚染物質が多い場合には、室内へのオゾンの放出量を増加させることで、汚染物質を効率よく清浄化することができる。また、吹出し空気の風量を増加させることにより、室内における空気の循環量が増加するので、清浄化の効率を高めることができる。従って、室内の汚染物質を速やかに清浄化することができる。
【００４５】
［実施の形態１を実現するための具体的な処理］
次に、図６から図８を参照して、上述した制御を実現するための具体的な処理について説明する。まず、図６は、本発明の実施の形態１において、空気清浄機の制御の一例を示すフローチャートである。この図に示すルーチンにおいて、ステップＳ１では、例えば下記に示す内部クリーン条件（１）〜（３）の少なくとも１つが成立した場合に、内部クリーン運転を実行する。
【００４６】
（１）ユーザにより内部クリーン運転を開始する操作が行われた場合
（２）過去に空気清浄動作を実行した時間の合計値である累積作動時間が内部クリーン運転を実行すべき基準時間に達した場合
（３）臭気センサ等により検出したケーシング２内の臭気ガスの濃度が許容上限値を超えた場合
【００４７】
次に、ステップＳ２では、オゾン発生機構１５を起動し、ケーシング２内にオゾンを発生させる。ステップＳ３では、前述の方法により、ケーシング内のオゾンの濃度に相当するオゾン量指標を取得する。そして、ステップＳ４では、オゾン量指標が予め設定された規定値以上であるか否かを判定する。この規定値は、例えば消臭、除菌等に必要なオゾンの濃度に対応して設定される。ステップＳ３の判定が不成立の場合には、ケーシング２内に十分な濃度のオゾンが溜まっていないので、オゾン発生機構１５を作動させながら、ステップＳ３，Ｓ４の処理を繰返す。また、ステップＳ４の判定が成立した場合には、ステップＳ５に移行し、オゾン発生機構１５を停止させる。
【００４８】
次に、ステップＳ６では、内部クリーン運転が完了したか否かを判定する。この判定処理では、例えば内部クリーン運転の継続時間が規定の清浄化完了時間に到達したか否かを判定する。上記継続時間は、例えばオゾン発生機構１５を起動してからの経過時間としてもよい。また、上記継続時間は、ステップＳ４が成立してからの経過時間、または、臭気センサの検出値が規定の清浄化完了濃度以下に低下してからの経過時間としてもよい。さらに、ステップＳ６は、例えばオゾンの濃度が清浄化完了濃度以上であるか否かの判定、または、臭気ガスの濃度が許容臭気濃度以下であるか否かの判定を行うものでもよい。
【００４９】
ステップＳ６の判定が成立した場合には、ステップＳ７に移行し、空気清浄機能をＯＮにする。具体的に述べると、ステップＳ７では、送風機６Ａ，６Ｂを起動し、可動ルーバー９Ａ，９Ｂを上向きに揺動させて吹出口５Ａ，５Ｂを開くことにより、空気清浄動作が可能な状態に移行する。一方、ステップＳ６の判定が不成立の場合には、ステップＳ３に戻って内部クリーン運転を続行する。
【００５０】
次に、ステップＳ８では、オゾン量指標が上限基準値よりも大きいか否かを判定する。ステップＳ８の判定が成立した場合には、ステップＳ９に移行し、人検知手段２０による人の検知結果に基いて室内に人がいるか否かを判定する。そして、ステップＳ９の判定が成立した場合には、ステップＳ１０に移行し、人避け運転を実行する。また、ステップＳ９の判定が不成立の場合には、室内に人がいないので、ステップＳ１２に移行し、室内空清運転を実行する。一方、ステップＳ８の判定が不成立の場合には、ステップＳ１１により室内に人がいるか否かを判定する。そして、ステップＳ１１の判定が成立した場合には、ステップＳ１３に移行し、人エリア運転を実行する。ステップＳ１１の判定が不成立の場合には、ステップＳ１２により室内空清運転を実行する。
【００５１】
次に、図７を参照して、人避け運転の具体例について説明する。図７は、図６中の人避け運転を示すフローチャートである。この図に示すルーチンにおいて、まず、ステップＳ２１，Ｓ２２では、サーチモードを実行しつつ、室内に人がいるか否かを方向別に判定する。ここで、サーチモードとは、水平回転機構１３を作動させることにより、ケーシング２と共に人検知手段２０による人の検知方向を水平方向に回転させ、室内の各方向を走査するものである。そして、何れかの方向で人が検知されることにより、ステップＳ２２の判定が成立した場合には、ステップＳ２３に移行する。ステップＳ２３では、人が検知された方向を避けて送風することにより、吹出し空気を人に向けないようにしながら空気清浄動作を実行する。
【００５２】
一方、ステップＳ２２の判定が不成立の場合には、ステップＳ２１，Ｓ２２の処理を繰返すことにより、人が入室するまでサーチモードを続行する。なお、この場合には、室内に人がいないと判定し、室内空清運転に移行してもよい。これにより、例えば室内から人が退出した場合には、人がいない場合の運転モードに移行して室内全体の空気を効率よく清浄化することができる。
【００５３】
次に、ステップＳ２４では、前述の場合と同様にオゾン量指標を取得し、ステップＳ２５では、オゾン量指標が上限基準値よりも大きいか否かを判定する。そして、ステップＳ２５の判定が不成立の場合には、吹出し空気中のオゾン濃度が人に影響ない程度に低下したと判断されるので、ステップＳ２６により人エリア運転に移行する。また、ステップＳ２５の判定が成立した場合には、ステップＳ２１に戻って人避け運転を続行する。
【００５４】
次に、図８を参照して、人エリア運転の具体例について説明する。図８は、図６中の人エリア運転を示すフローチャートである。この図に示すルーチンにおいて、まず、ステップＳ３１，Ｓ３２では、前述のサーチモードを実行しつつ、室内に人がいるか否かを方向別に判定する。そして、何れかの方向で人が検知されることにより、ステップＳ３２の判定が成立した場合には、ステップＳ３３に移行する。ステップＳ３３では、人が検知された方向に向けて送風し、当該方向において空気清浄動作を実行する。一方、ステップＳ３２の判定が不成立の場合には、ステップＳ３１，Ｓ３２の処理を繰返すことにより、人が入室するまでサーチモードを続行する。なお、この場合には、室内に人がいないと判定し、室内空清運転に移行してもよい。
【００５５】
次に、ステップＳ３４では、前述の場合と同様にオゾン量指標を取得し、ステップＳ３５では、オゾン量指標が上限基準値よりも大きいか否かを判定する。そして、ステップＳ３５の判定が成立した場合には、吹出し空気中のオゾン濃度が人に影響を与える程度に上昇したと判断されるので、ステップＳ３６により人避け運転に移行する。また、ステップＳ３５の判定が不成立の場合には、ステップＳ３１に戻って人エリア運転を続行する。なお、ステップＳ３５の判定が成立する場合の一例としては、例えば特別空清運転によりオゾンを発生させながら送風しているときに、吹出し空気中のオゾン濃度が上昇した場合等が挙げられる。
【００５６】
次に、図９を参照して、室内空清運転の具体例について説明する。図９は、図６中の人エリア運転を示すフローチャートである。この図に示すルーチンにおいて、まず、ステップＳ４１，Ｓ４２では、サーチモードを実行しつつ、汚染物質検出手段２１により空気中の汚染物質の濃度を検出する。ここで、室内空清運転のサーチモードとは、水平回転機構１３により空気の吹出方向を回転させながら、空気清浄機１の位置に還流してくる空気中の汚染物質の濃度を方向別に検出するものである。
【００５７】
次に、ステップＳ４３では、サーチモードの結果に基いて、汚染物質の濃度が規定の許容値以上となった方向があるか否かを判定する。そして、ステップＳ４３の判定が成立した場合には、ステップＳ４４に移行し、許容値以上の汚染物質が検出された方向に吹出し空気を送風する。また、ステップＳ４３の判定が不成立の場合には、ステップＳ４１に戻って室内空清運転を続行する。
【００５８】
以上詳述した通り、本実施の形態によれば、人の検知結果とオゾン量指標とに基いて、吹出し空気の風向を制御したり、ケーシング２内のオゾンの濃度を制御することができる。これにより、例えば内部クリーン運転の実行後に空気清浄動作を行う場合には、人の有無とオゾン濃度の大小とに基いて人避け運転、人エリア運転及び室内空清運転を適切に使い分けることができる。これと同様に、オゾンを含む吹出し空気を送風する特別空清運転においても、上記各運転を適切に使い分けることができる。この結果、人に対するオゾンの影響に配慮しながら、オゾンを用いてケーシング２内を正常化したり、空気清浄動作を行うことができる。従って、ユーザの快適性と空気清浄動作の効率化とを両立させることができる。
【００５９】
また、本実施の形態によれば、人避け運転及び人エリア運転を実行しているときに、人の検知結果とオゾン量指標のうち少なくとも一方が変化した場合には、変化後の状態に応じて運転モードを移行する。これにより、人の出入り及びオゾン濃度の増減が頻繁に生じる場合でも、常に適切な運転モードを選択することができる。従って、人に影響を与えない範囲で、空気清浄効果を最大限に発揮することができる。
【００６０】
また、本実施の形態の一例では、オゾン量指標として、オゾン発生機構１５の作動時間、及び、オゾン発生機構１５が停止してからの経過時間を使用する。これにより、オゾン濃度センサ等を搭載しなくても、オゾンの発生量を間接的に検出することができる。従って、空気清浄機１の構造を簡略化し、コストダウンを促進することができる。また、空気清浄機１は、２個の吹出口５Ａ，５Ｂ、送風機６Ａ，６Ｂ及び可動ルーバー９Ａ，９Ｂを備えている。これにより、吹出口５Ａ，５Ｂから２つの方向に送風することができ、必要に応じて吹出し空気を適切に分散させることができる。一例を挙げると、人エリア運転では、前側の吹出口５Ａから人に向けて送風しつつ、後側の吹出口５Ｂから室内全体の清浄化効率が高くなる方向に送風することができる。
【００６１】
実施の形態２．
次に、図１０を参照して、本発明の実施の形態２について説明する。本実施の形態の特徴は、可動型の汚染物質検出手段を用いることにある。図１０は、本発明の実施の形態２による空気清浄機の制御系統を示す構成図である。この図に示すように、本実施の形態の空気清浄機１は、可動型の汚染物質検出手段４０を備えている。汚染物質検出手段４０は、前記実施の形態１の汚染物質検出手段２１と同様の機能を有しているが、ケーシング２と別個の部品として形成されている。汚染物質検出手段４０は、ケーシング２から離れた場所に設置された状態で、有線または無線の遠隔通信手段４１を介して汚染物質の検出結果を制御部３０に送信するように構成されている。
【００６２】
このように構成される本実施の形態でも、前記実施の形態１と同様の効果を得ることができる。また、可動型の汚染物質検出手段４０は、例えば汚染物質が発生し易い場所、汚染物質を特に減少させたい場所等のように、ユーザの所望の場所に設置することができる。これにより、汚染物質検出手段４０が設置された場所の汚染状態を基準として空気清浄動作を実行することができる。従って、所望の場所を優先的に効率よく清浄化し、ユーザの利便性を向上させることができる。
【００６３】
なお、前記実施の形態１，２では、一般的な家庭で用いる空気清浄機１を例に挙げて説明した。しかし、本発明の空気清浄機はこれに限らず、空気清浄機能を有する各種の設備機器も含むものである。
【００６４】
また、実施の形態１では、内部クリーン運転、人避け運転、人エリア運転及び室内空清運転からなる４種類の運転モードを備える構成を例示した。しかし、本発明はこれに限らず、これら４種類の運転モードのうち少なくとも１種類の運転モードを備えていればよい。また、人避け運転、人エリア運転及び室内空清運転は、前述のように、吹出し空気と共にオゾンを意図的に送風する特別空清運転と組合わせてもよい。従って、本発明は、内部クリーン運転の実行機能をもたない空気清浄機にも適用されるものである。
【００６５】
また、実施の形態１では、人の検知結果と、オゾン量指標とに基いて、オゾンの発生量と吹出し空気の風向のうち少なくとも一方を制御する場合を例示した。しかし、本発明はこれに限らず、オゾン量指標に関係なく、人の検知結果のみに基いて制御を行う構成としてもよい。この場合にも、人が有無に基いて、例えば人避け運転と室内空清運転とを使い分けたり、人エリア運転と室内空清運転とを使い分けることができる。従って、人に対するオゾンの影響に配慮しながら、ユーザの快適性と空気清浄動作の効率化とを両立させることができる。
【００６６】
また、実施の形態１では、空気を清浄化する清浄化物質としてオゾンを例示した。しかし、本発明は、オゾンに限定されるものではなく、各種のラジカル、イオン等の清浄化物質を制御対象としてもよい。また、本発明では、清浄化物質発生手段としてオゾン発生機構１５を例示した。しかし、本発明では、例えば光を受けることにより清浄化物質を発生する光触媒等を清浄化物質発生手段として採用してもよい。また、実施の形態１では、２個の吹出口５Ａ，５Ｂから個別に送風することが可能な空気清浄機１を例示した。しかし、本発明の空気清浄機には、１個の吹出口または３個以上の吹出口を設けてもよい。
【００６７】
さらに、本発明は、人検知手段２０の出力を入力して清浄化物質の発生量と吹出し空気の風向、風量、風速のうち少なくとも１つのパラメータを制御すればよいものである。即ち、本発明には、人検知手段２０の出力に基いて吹出し空気の風量、風速を変化させる制御も含まれている。
【符号の説明】
【００６８】
１  空気清浄機
２  ケーシング
２Ａ  パネル
２Ｂ  隔壁
３  台座
３Ａ  回転軸
４  吸込口
５Ａ，５Ｂ  吹出口
６Ａ，６Ｂ  送風機
７  汚染除去部
８Ａ，８Ｂ  風路
９Ａ，９Ｂ  可動ルーバー
１０  ルーバー駆動部
１１  整流機構
１２  整流駆動部
１３  水平回転機構
１４  風向調整手段
１５  オゾン発生機構（清浄化物質発生手段）
２０  人検知手段
２１，４０  汚染物質検出手段
２２  操作部
３０  制御部（制御手段）
４１  遠隔通信手段
【図１】
2016157383.tif 000003
【図２】
2016157383.tif 000004
【図３】
2016157383.tif 000005
【図４】
2016157383.tif 000006
【図５】
2016157383.tif 000007
【図６】
2016157383.tif 000008
【図７】
2016157383.tif 000009
【図８】
2016157383.tif 000010
【図９】
2016157383.tif 000011
【図１０】
2016157383.tif 000012
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
空気の吸込口及び吹出口を有し、前記吹出口が前記吸込口よりも上側に配置されたケーシングと、
前記吸込口から前記ケーシング内に空気を吸込んで当該空気を前記吹出口から吹出すための送風機と、
前記ケーシングの内部に吸込まれた空気から汚染物質を除去する汚染除去部と、
前記汚染除去部により汚染物質が除去された空気を前記吹出口に搬送する風路と、
前記吹出口から外部に吹出す空気の風向を調整する手段であって、かつ、前記吹出口を閉塞可能に構成された風向調整手段と、
前記ケーシングの内部に清浄化物質を発生させる清浄化物質発生手段と、
前記ケーシングに設けられ、人に関する物理量を検知する人検知手段と、
を備えた空気清浄機。
【請求項２】
前記風向調整手段により前記吹出口を閉塞した状態で前記清浄化物質発生手段から前記清浄化物質を発生させて前記ケーシング内の空間を清浄化する請求項１に記載の空気清浄機。
【請求項３】
前記風向調整手段及び前記清浄化物質発生手段を作動させる機能を有し、前記人検知手段の出力を入力して前記清浄化物質の発生量と前記吹出口から吹出す空気の風向、風量、風速のうち少なくとも１つのパラメータを制御する制御手段を備えた請求項１または２に記載の空気清浄機。
【請求項４】
前記制御手段は、前記清浄化物質の発生量と相関を有する指標を取得し、当該指標と前記人の検知結果とに基いて前記パラメータを制御する請求項３に記載の空気清浄機。
【請求項５】
空気中の汚染物質を検出する汚染物質検出手段を備え、
前記制御手段は、前記汚染物質検出手段の検出結果に基いて前記清浄化物質の発生量と前記送風機の出力のうち少なくとも一方を制御する請求項３または４に記載の空気清浄機。
【請求項６】
前記汚染物質検出手段は、前記ケーシングから離れた場所に設置可能であって汚染物質の検出結果を遠隔通信手段により前記制御手段に送信する可動型の汚染物質検出手段である請求項５に記載の空気清浄機。
【請求項７】
前記制御手段は、前記人検知手段により人が検知された場合に、前記清浄化物質の発生量を人許容基準値以下に減少させる請求項３から６のうち何れか１項に記載の空気清浄機。
【請求項８】
前記風向調整手段により前記吹出口を閉塞した状態で前記清浄化物質発生手段から前記清浄化物質を発生させて前記ケーシング内の空間を清浄化する第１の運転モードと、
前記人検知手段により人が検知され、かつ、前記清浄化物質の発生量と相関を有する指標が上限基準値よりも大きい状態で空気清浄動作を行う場合に、前記吹出口から吹出す空気の風向を前記風向調整手段により人がいない方向に設定する第２の運転モードと、
前記人検知手段により人が検知され、かつ、前記指標が前記上限基準値以下の状態で空気清浄動作を行う場合に、前記吹出口から吹出す空気の風向を前記風向調整手段により人がいる方向に設定する第３の運転モードと、
前記人検知手段により人が検知されない状態で空気清浄動作を行う場合に、前記吹出口から吹出す空気を前記風向調整手段により室内全体に分散させる第４の運転モードとからなる４種類の運転モードのうち、少なくとも１つの運転モードを備えた請求項１から７のうち何れか１項に記載の空気清浄機。
【請求項９】
前記第１から第４の運転モードを備え、
前記第１の運転モードを実行した後に、前記人の検知結果と前記指標とに基いて前記第２から第４の運転モードの何れかを実行する請求項８に記載の空気清浄機。
【請求項１０】
前記第２から第４の運転モードを備え、
前記第２から第４の運転モードの何れかを実行しているときに、前記人の検知結果と前記指標のうち少なくとも一方が変化した場合に、変化後の状態に応じて運転モードを移行する請求項８または９に記載の空気清浄機。
【請求項１１】
前記清浄化物質の発生量と相関を有する指標は、前記清浄化物質発生手段から発生する前記清浄化物質の濃度であるか、または、前記清浄化物質発生手段の作動時間である請求項４に記載の空気清浄機。
【請求項１２】
前記清浄化物質発生手段は、前記清浄化物質として少なくともオゾンを発生させる機構を有する請求項１から１１のうち何れか１項に記載の空気清浄機。
【請求項１３】
前記吹出口及び前記風向調整手段を複数個備え、前記各吹出口から吹出す空気の風向を前記各風向調整手段により個別に調整する請求項１から１２のうち何れか１項に記載の空気清浄機。
【請求項１４】
前記風向調整手段は、
前記吹出口から吹出す空気の風向を上下方向に調整可能な可動ルーバーと、
前記ケーシングを水平方向に回転させることが可能な水平回転機構と、
を備えた請求項１から１３のうち何れか１項に記載の空気清浄機。
【手続補正２】
【補正対象書類名】明細書
【補正対象項目名】０００２
【補正方法】変更
【補正の内容】
【０００２】
従来技術として、例えば特許文献１から３に記載されているような機器が知られている。特許文献１に記載されたエアコンは、空気流通路に設けられた脱臭及び殺菌装置を備えている。脱臭及び殺菌装置は、オゾン発生装置及び触媒により構成されている。また、特許文献２に空気清浄機は、イオンを発生する除菌装置と、吹出口を閉塞可能なルーバーとを備えている。そして、この空気清浄機は、ルーバーにより吹出口を閉塞した状態で、2個の送風機を交互に運転することにより、空気清浄機の内部にイオンを充満させる構成としている。また、特許文献３に記載された空気清浄機は、吸気口に設けられたシャッターと、逆回転可能なファンと、オゾナイサとを備えている。そして、空気清浄機の内部を除菌する場合には、シャッターにより吸気口を閉塞した状態で、ファンを逆回転させる構成としている。
【手続補正３】
【補正対象書類名】明細書
【補正対象項目名】０００６
【補正方法】変更
【補正の内容】
【０００６】
この発明に係る空気清浄機は、空気の吸込口及び吹出口を有し、吹出口が吸込口よりも上側に配置されたケーシングと、吸込口からケーシング内に空気を吸込んで当該空気を吹出口から吹出すための送風機と、ケーシングの内部に吸込まれた空気から汚染物質を除去する汚染除去部と、汚染除去部により汚染物質が除去された空気を吹出口に搬送する風路と、吹出口から外部に吹出す空気の風向を調整する手段であって、かつ、吹出口を閉塞可能に構成された風向調整手段と、ケーシングの内部に清浄化物質を発生させる清浄化物質発生手段と、ケーシングに設けられ、人に関する物理量を検知する人検知手段と、を備えている。
【手続補正４】
【補正対象書類名】明細書
【補正対象項目名】００４３
【補正方法】変更
【補正の内容】
【００４３】
（汚染対応制御）
本実施の形態では、汚染物質検出手段２１の検出結果に基いてオゾンの発生量を制御する汚染対応制御を実行してもよい。具体的に述べると、汚染対応制御では、汚染物質検出手段２１により検出された汚染物質の濃度が汚染判定値以上である場合に、汚染物質の濃度が汚染判定値未満である場合と比較してオゾンの発生量を増加させる。ここで、「汚染判定値」とは、例えばオゾンによる清浄化が好ましいと考えられる比較的高い濃度に対応して設定されるもので、制御部３０に予め記憶されている。また、汚染対応制御では、オゾンの発生量を増加させる処理に代えて、送風機６Ａ，６Ｂの出力（吹出し空気の風量）を増加させるようにしてもよい。更に言えば、オゾンの発生量と吹出し空気の風量を両方とも増加させるようにしてもよい。
【手続補正５】
【補正対象書類名】明細書
【補正対象項目名】００４７
【補正方法】変更
【補正の内容】
【００４７】
次に、ステップＳ２では、オゾン発生機構１５を起動し、ケーシング２内にオゾンを発生させる。ステップＳ３では、前述の方法により、ケーシング内のオゾンの濃度に相当するオゾン量指標を取得する。そして、ステップＳ４では、オゾン量指標が予め設定された規定値以上であるか否かを判定する。この規定値は、例えば消臭、除菌等に必要なオゾンの濃度に対応して設定される。ステップＳ４の判定が不成立の場合には、ケーシング２内に十分な濃度のオゾンが溜まっていないので、オゾン発生機構１５を作動させながら、ステップＳ３，Ｓ４の処理を繰返す。また、ステップＳ４の判定が成立した場合には、ステップＳ５に移行し、オゾン発生機構１５を停止させる。
【国際調査報告】
2016157383.tif 000013
2016157383.tif 000014
2016157383.tif 000015
2016157383.tif 000016